(57)【要約】【課題】より高い漂白洗浄効果を有する液体漂白剤組成物を提供する。【解決手段】（ａ）過酸化水素、（ｂ）アルカリ剤、及び（ｃ）特定構造を有するアルキルグリセリルエーテルを含有する液体漂白剤組成物。【選択図】　なし【特許請求の範囲】
【請求項１】
（ａ）過酸化水素０．５〜１０質量％、（ｂ）アルカリ剤０．５〜２０質量％、及び（ｃ）一般式（１）で表される化合物０．５〜１０質量％を含有する液体漂白剤組成物。
【化１】
2004043551.tif 000013
〔式中、Ｒ１は分岐を有する炭素数５〜１０の炭化水素基を示し、Ｘ及びＹはヒドロキシ基、又は−ＯＲ１、又は−Ｏ−ＣＨ２ＣＨ（ＯＨ）ＣＨ２−ＯＺ、又は−Ｏ−ＣＨ（ＣＨ２ＯＨ）（ＣＨ２ＯＷ）で表される基であり、Ｘ及びＹの少なくとも一方はヒドロキシ基であり、かつＺ及びＷはどちらも水素原子又はどちらか一方が水素原子で他方がＲ１である。〕
【請求項２】
アルカリ剤が炭酸カリウムである請求項１記載の液体漂白剤組成物。
【請求項３】
（ａ）過酸化水素０．６〜１０質量％、（ｃ）一般式（１）で表される化合物０．６〜１５質量％及び水を含有する組成物からなるＡ剤と、（ｂ）アルカリ剤３〜２５質量％及び水を含有する組成物からなるＢ剤とを、Ａ剤とＢ剤とを分離して保持する容器に充填してなる２剤型漂白剤。
【発明の詳細な説明】
【０００１】
【発明の属する技術分野】
本発明は液体漂白剤組成物、特に繊維製品用として好適な液体漂白剤組成物に関する
【０００２】
【従来の技術及び発明が解決しようとする課題】
過酸化水素を主基剤とする液体漂白剤は色・柄物に使用でき、汚れに直接塗布できるなどの利点から好まれて使用されている。液体漂白剤は、弱アルカリ洗剤と共に洗濯機に入れて洗浄する方法、あるいは汚れに直接塗布した後、弱アルカリ洗剤と共に洗濯機で洗浄する方法で使用されるのが一般的であるが、未だその漂白効果は満足できるものではなく、例えば皮脂と食べこぼしのシミが複合したような頑固な汚れには、直接塗布する洗浄方法においても、汚れを完全に落とすことは非常に困難である。
【０００３】
このような背景から、漂白効果を改善したアルカリ性の液体漂白剤組成物が提案されている。特開平７−１４４９０５号公報、特開平４−３４９１０９号公報には特定の安定化剤を用いた組成物が優れた漂白効果と安定性を示すことが開示されている。また、ＷＯ９１１２３０９号公報、ＷＯ９１１２３０７号公報には粉末状の無機過酸化物を分散させたアルカリ性液体漂白剤が開示されている。
【０００４】
一方、過酸化水素と特定の有機溶剤を含有する液体漂白剤も知られている。特開平９−１８３９９８号公報には、過酸化水素及び界面活性剤を含み、更に溶解度パラメーターが７〜１８の有機溶剤（具体的にはグリコール系溶剤や、酢酸エステル等）を含有する液体漂白剤が開示されており、特表２０００−５０４３７１号公報には、過酸化水素と共に有機クリーニング溶剤を含有するスポットクリーニング組成物が開示されており、溶剤としてブトキシプロポキシプロパノールが挙げられている。また特表２０００−５０７６４３号公報には、過酸漂白剤に、低級アルコールと、ポリオール系の水溶性溶剤又はエーテル系溶剤の２種の溶剤を含有するカーペットクリーナーが開示されている。
【０００５】
また、本発明者らは、過酸化水素、アルカリ剤、及び非イオン界面活性剤を含有する漂白剤を汚れに直接塗布することで非常に高い漂白洗浄効果が得られることを見出し、更に、配合する非イオン界面活性剤のＨＬＢが低い化合物ほど、漂白洗浄効果を高めることができることを見出した。しかしながらアルカリ剤を特定量含有する水溶液にＨＬＢの低い非イオン界面活性剤を配合すると、非イオン界面活性剤が溶解せずに分離あるいは白濁し、非イオン界面活性剤の効果を減じるため、期待される漂白洗浄効果が得られないという問題があった。
【０００６】
本発明の課題は、過酸化水素とアルカリ剤を含む液体漂白剤において、従来以上に優れた漂白効果、特に繊維製品に対するシミ汚れに直接塗布して作用させる場合に効果的な液体漂白剤組成物を提供することにある。
【０００７】
【課題を解決するための手段】
本発明は、（ａ）過酸化水素〔以下、（ａ）成分という〕０．５〜１０質量％、（ｂ）アルカリ剤〔以下、（ｂ）成分という〕０．５〜２０質量％、及び（ｃ）一般式（１）で表される化合物〔以下、（ｃ）成分という〕０．５〜１０質量％を含有する液体漂白剤組成物に関する。
【０００８】
【化２】
2004043551.tif 000002
【０００９】
〔式中、Ｒ１は分岐を有する炭素数５〜１０の炭化水素基を示し、Ｘ及びＹはヒドロキシ基、又は−ＯＲ１、又は−Ｏ−ＣＨ２ＣＨ（ＯＨ）ＣＨ２−ＯＺ、又は−Ｏ−ＣＨ（ＣＨ２ＯＨ）（ＣＨ２ＯＷ）で表される基であり、Ｘ及びＹの少なくとも一方はヒドロキシ基であり、かつＺ及びＷはどちらも水素原子又はどちらか一方が水素原子で他方がＲ１である。〕
【００１０】
【発明の実施の形態】
＜（ａ）成分＞
本発明の（ａ）成分は過酸化水素であり、組成物中に０．５〜１０質量％、好ましくは１〜６質量％、特に好ましくは１〜５質量％含有される。この範囲において、優れた漂白洗浄効果を得ることができる。
【００１１】
＜（ｂ）成分＞
本発明の（ｂ）成分はアルカリ剤であり、組成物中に１〜２０質量％、好ましくは１〜１０質量％、特に好ましくは１〜７質量％含有される。好ましい（ｂ）成分としては、無機アルカリ剤であり、具体的には水酸化ナトリウム、水酸化カリウム、水酸化マグネシウム、炭酸ナトリウム、炭酸カリウム、炭酸マグネシウム、リン酸３ナトリウム、リン酸水素２ナトリウム、リン酸３カリウム、リン酸水素２カリウム、リン酸２水素カリウムから選ばれる１種以上が挙げられる。本発明では特に炭酸ナトリウム及び／又は炭酸カリウムが好ましく、炭酸カリウムが最も好ましい。炭酸ナトリウム及び／又は炭酸カリウムが好ましい理由としては、塗布時に漂白対象に起因するｐＨの低下による漂白力低下を抑制することができるためであり、更に、後述するような２剤型として貯蔵し、使用直前に本組成に調整するような方法において、混合した後の組成物のｐＨを効果的なｐＨに保つことができるためである。
【００１２】
＜（ｃ）成分＞
本発明の（ｃ）成分は下記一般式（１）の化合物である。
【００１３】
【化３】
2004043551.tif 000003
【００１４】
〔式中、Ｒ１は分岐を有する炭素数５〜１０、好ましくは５〜８の炭化水素基を示し、Ｘ及びＹはヒドロキシ基、又は−ＯＲ１、又は−Ｏ−ＣＨ２ＣＨ（ＯＨ）ＣＨ２−ＯＺ、又は−Ｏ−ＣＨ（ＣＨ２ＯＨ）（ＣＨ２ＯＷ）で表される基であり、Ｘ及びＹの少なくとも一方はヒドロキシ基であり、かつＺ及びＷはどちらも水素原子又はどちらか一方が水素原子で他方がＲ１である。〕。
【００１５】
本発明では漂白効果の点から、Ｒ１が、分岐を有する炭化水素基であることを要件とする。本発明では特にＲ１が、炭素数３又は４の側鎖を１つ以上、好ましくは１〜５つ有する分岐型アルキル基であることが好ましい。このような分岐型アルキル基としては、具体的には２−エチルヘキシル基、イソノニル基、イソデシル基、イソトリデシル基等が挙げられ、２−エチルヘキシル基が最も好ましい。
【００１６】
一般式（１）で表される化合物は、Ｒ１ＯＨとエピハロヒドリンやグリシドール等のエポキシ化合物をＢＦ３等の酸触媒を用いて反応させて製造する方法が一般的である。
【００１７】
又、本発明では、国際出願９５／５０３８９号公報及び特開２００１−４９２９１号公報に記載されているように、アルコール化合物にエピハロヒドリン及び／又はグリシドールを付加させる方法が特に好ましい。
【００１８】
本発明の組成物は、（ｃ）成分を０．５〜１０質量％、更に０．５〜５質量％含有することが好ましい。
【００１９】
なお、（ｃ）成分に関連して、アルキルグリセリルエーテルを洗浄剤に応用することは既に知られており、多数の発明が公開されている。例えば液体洗浄剤に関する発明としては、特開昭５７−１３３２００号公報に、α−モノ（メチル分岐アルキル）モノグリセリルエーテルを配合する発明が、また特開平７−３２８９号公報には、アルキル基の炭素数が１〜７の直鎖又は分岐鎖のアルキル基もしくはアルケニル基、フェニル基、ベンジル基、フルフリル基のグリセリルエーテルを配合する発明が記載されており、その他、液体洗浄剤としては、特開平１１−１８９７９６号公報、特開平１１−２５６１９８号公報、特開平１１−２５６２００号公報、、特開２００１−１９９９３号公報、及び特表平５−５０２６８７号公報を挙げることができる。これら先行技術は、硬質表面に頑固に付着した変質油汚れや、食器の洗浄、及び浴室の汚れの洗浄に関する発明であり、基材損傷性が無い点を特徴とするものであって、漂白剤についての記載はない。
【００２０】
一方、グリセリルエーテルと漂白剤とを併用する洗浄剤としては次の発明が公開されている。特開昭５２−１０１２１１号公報には、炭素数が８〜１６の線状アルキル又はアルケニル基を有するモノグリセリルエーテルと非イオン界面活性剤を配合する編織物（ファブリック）に付着した油汚れに効果的な洗浄剤に、任意成分として漂白剤を配合してもよいことが記載されている。特開２００１−７２９９５号公報には、炭素数１〜１６の炭化水素基を有するモノアルキルグリセリルエーテルと界面活性剤を含有する洗浄剤組成物に関し、任意成分として漂白剤を配合してもよいことが記載されている。特開平４−２９２６９７号公報には、アルキルグルコシドと炭素原子７〜２０個のモノグリセリルエーテルを併用する洗浄剤組成物に、任意成分として漂白剤を配合してもよいことが記載されている。これらにおいては、いずれも漂白剤は任意成分であり、また具体的に示唆がある物質は有機過酸化合物か、過ホウ酸塩、過炭酸塩などの無機固体性の漂白剤である。しかも、これら従来技術は、粉末の組成物において漂白剤の配合を示唆するものである。また、本発明の（ｃ）成分のような炭素数が１０以下の分岐のアルキル基を有するアルキルグリセリルエーテルは液体であり、粉末系に配合する場合は粉末成分に担持することが想定されるが、このような用法から示唆されるアルキルグリセリルエーテルの配合量はごく少量に限られる。このように、従来技術は、基本的に粉末系において、固体漂白剤と少量のアルキルグリセリルエーテルを併用できることを示唆するに過ぎない。本発明の液体漂白洗浄剤は、希釈することなく直接塗布することで最も優れた漂白効果を得ることができるものであるが、上記従来技術で得られる粉末組成物を水に溶解させて得られる液体組成物は希釈倍率が高く、本発明の目的には合致しない。
【００２１】
本発明の漂白効果を発揮できる（ａ）成分と（ｃ）成分の化合物の比率は、好ましくは１／１０〜１５（質量比）であり、より好ましくは３／１０〜５である。
【００２２】
＜その他＞
本発明では任意ではあるが漂白洗浄効果を高める目的から漂白活性化剤又は有機過酸〔以下、（ｄ）成分という〕を含有することが好ましい。漂白活性化剤としては漂白効果及び貯蔵安定性の点からアルカノイルオキシベンゼン型漂白活性化剤が好ましく、特に炭素数６〜１４、好ましくは７〜１３のアルカノイル基を有するアルカノイルオキシベンゼンスルホン酸もしくは炭素数６〜１４、好ましくは７〜１３のアルカノイル基を有するアルカノイルオキシベンゼンカルボン酸又はこれらの塩が好ましい。具体的な好ましい例としてはオクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。塩としてはナトリウム塩、カリウム塩、マグネシウム塩が好ましく、特にナトリウム塩が溶解性の点から好ましい。
【００２３】
これらの中でも特にノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩が親油性汚れ漂白効果の点から好ましい。
【００２４】
有機過酸としては上述の漂白活性化剤と過酸化水素が反応して生成する化合物が好ましく、具体的には過オクタン酸、過ノナン酸、過デカン酸、過ウンデカン酸、過ドデカン酸、過３，５，５−トリメチルヘキサン酸が好適である。また、これら有機過酸と上記漂白活性化剤が反応することで生成する過酸化ジアルカノイルも本発明では好適な漂白活性化剤として作用する。具体的には過酸化ジオクタノイル、過酸化ジノナノイル、過酸化ジデカノイル、過酸化ジウンデカノイル、過酸化ジドデカノイルであり、異なるアルキル鎖長のアルカノイル基を有する過酸化ジアルカノイルを用いることも可能である。
【００２５】
本発明の組成物は、（ｄ）成分を０．０１〜５質量％、更に０．０１〜３質量％、特に０．０１〜１．５質量％含有することが漂白効果の点から好ましい。
【００２６】
本発明では、漂白洗浄効果を高める目的から、本発明の漂白組成物に分散剤〔以下、（ｅ）成分という〕を含有することが好ましい。特に、重量平均分子量５千〜４万、好ましくは５千〜１万のポリアクリル酸（塩）もしくはポリメタクリル酸（塩）及び重量平均分子量１万〜１０万、好ましくは３万〜７万のアクリル酸とマレイン酸のコポリマー（塩）から選ばれるカルボン酸系ポリマー、並びに重量平均分子量４千〜２万、好ましくは５千〜１万のポリエチレングリコールから選ばれる非イオン性ポリマーが好ましい。本発明の組成物は、（ｅ）成分を０．０５〜１４質量％、更に０．１〜８質量％含有することが好適である。
【００２７】
本発明では漂白洗浄効果を高める目的から（ｃ）成分以外の界面活性剤〔以下、（ｆ）成分という〕を含有することが好ましい。本発明に用いることが出来る（ｆ）成分としては、陰イオン界面活性剤、両性界面活性剤、陽イオン界面活性剤、及び（ｃ）成分以外の非イオン界面活性剤である。
【００２８】
陰イオン界面活性剤（ｆ１）としては、分子中に炭素数１０〜１８、好ましくは１０〜１６、特に好ましくは１０〜１５のアルキル基又はアルケニル基と、−ＳＯ３Ｍ基及び／又は−ＯＳＯ３Ｍ基〔Ｍ：対イオン〕を有する陰イオン界面活性剤が好ましい。具体的には上記炭素数を有するアルキルベンゼンスルホン酸、アルキル（又はアルケニル）硫酸エステル、アルキレンオキシド平均付加モル数１〜６のポリオキシアルキレンアルキル（又はアルケニル）エーテル硫酸エステル、オレフィンスルホン酸、アルカンスルホン酸、α−スルホ脂肪酸、α−スルホ脂肪酸エステル及びこれらの塩が好ましい。これらの中でも特に炭素数１０〜１６のアルキル基又はアルケニル基を有するアルキル（又はアルケニル）硫酸エステル、炭素数１０〜１６のアルキル基又はアルケニル基を有し、エチレンオキシド（以下、ＥＯと表記する）平均付加モル数が１〜６、好ましくは１〜４、特に好ましくは１〜３であるポリオキシエチレンアルキル（又はアルケニル）エーテル硫酸エステル、炭素数１０〜１５のアルキルベンゼンスルホン酸、およびこれらの塩から選ばれる一種以上を配合することが好ましい。塩としては、ナトリウム塩、カリウム塩、アンモニウム塩、アルカノールアミン塩が貯蔵安定性の点から良好である。
（事務所様へ：前記一部記載の削除に伴い式番号を変更します。明細書本文の確認と式の方の修正をお願いします。）
両性界面活性剤（ｆ２）としては下記一般式（２）の化合物又は一般式（３）の化合物から選ばれる化合物が好ましい。
【００２９】
【化４】
2004043551.tif 000004
【００３０】
〔式中、Ｒ２は炭素数８〜１６、好ましくは１０〜１６、特に好ましくは１０〜１４の直鎖アルキル基又は直鎖アルケニル基であり、Ｒ４、Ｒ５は炭素数１〜３のアルキル基又はヒドロキシアルキル基である。Ｒ３は炭素数１〜５、好ましくは２又は３のアルキレン基である。Ｕは−ＣＯＯ−、−ＣＯＮＨ−、−ＯＣＯ−、−ＮＨＣＯ−、−Ｏ−から選ばれる基であり、ｈは０又は１、好ましくは１の数である。〕
【００３１】
【化５】
2004043551.tif 000005
【００３２】
〔式中、Ｒ６は炭素数９〜２３、好ましくは９〜１７、特に好ましくは１０〜１６のアルキル基又はアルケニル基であり、Ｒ７は炭素数１〜６、好ましくは１〜４、特に好ましくは２又は３のアルキレン基である。Ｖは−ＣＯＯ−、−ＣＯＮＨ−、−ＯＣＯ−、−ＮＨＣＯ−、−Ｏ−から選ばれる基であり、ｉは０又は１の数、好ましくは０である。Ｒ８、Ｒ９は、炭素数１〜３のアルキル基又はヒドロキシアルキル基、好ましくはメチル基、エチル基又はヒドロキシエチル基であり、Ｒ１０はヒドロキシ基で置換していてもよい炭素数１〜５、好ましくは１〜３のアルキレン基である。Ｄは、−ＳＯ３−、−ＯＳＯ３−から選ばれる基であり、特に−ＳＯ３−が漂白洗浄効果の点から良好である。〕。
【００３３】
陽イオン界面活性剤（ｆ３）としては、下記一般式（４）の陽イオン界面活性剤が好ましい。
【００３４】
【化６】
2004043551.tif 000006
【００３５】
〔式中、Ｒ１１は炭素数８〜１８、好ましくは１０〜１８、特に好ましくは１０〜１６のアルキル基またはアルケニル基であり、Ｒ１２、Ｒ１３、Ｒ１４は同一又は異なっていてもよい炭素数１〜３のアルキル基である。Ｘ−は陰イオン、好ましくは炭素数１〜３のアルキル硫酸エステルイオン、炭素数１〜１２の脂肪酸イオン、炭素数１〜３の置換基を１〜３個有していてもよいアリールスルホン酸イオンである。〕。
【００３６】
（ｃ）成分以外の非イオン界面活性剤（ｆ４）としては、一般式（５）の化合物が好ましい。
Ｒ１５−Ｔ−［（Ｒ１６Ｏ）ａ−Ｈ］ｂ　　　（５）
〔式中、Ｒ１５は、炭素数６〜１８、好ましくは１０〜１６のアルキル基又はアルケニル基であり、Ｒ１６は炭素数２又は３のアルキレン基であり、好ましくはエチレン基である。ａは４〜２００の数を示す。
【００３７】
【化７】
2004043551.tif 000007
【００３８】
一般式（５）の化合物において、Ｒ１５の炭素数は１０〜１６、特に１０〜１４が好適である。また、ａが小さいと非イオン界面活性剤が組成物に溶解せず、白濁／分離を引き起こし、漂白洗浄効果が低下するという問題が生じるため、好ましくは６〜５０、特に好ましくは７〜１５である。
【００３９】
一般式（５）の化合物の具体例として以下の化合物を挙げることができる。
Ｒ１５−Ｏ−（Ｃ２Ｈ４Ｏ）ｃ−Ｈ　　　　　　　　　（５−１）
〔式中、Ｒ１５は前記の意味を示す。ａは４〜２００、好ましくは６〜５０、より好ましくは７〜１５の数である。〕
Ｒ１５−Ｏ−（Ｃ２Ｈ４Ｏ）ｄ−（Ｃ３Ｈ６Ｏ）ｅ−Ｈ　　（５−２）
〔式中、Ｒ１５は前記の意味を示す。ｄ及びｅはそれぞれ独立に２〜１５、好ましくは２〜１０の数であり、ｄ及びｅの合計は、好ましくは６〜５０、より好ましくは７〜１５の数である。また、エチレンオキシドとプロピレンオキシドはランダムあるいはブロック付加体であってもよい。〕
【００４０】
【化８】
2004043551.tif 000008
【００４１】
〔式中、Ｒ１５は前記の意味を示す。ｆ及びｇの合計は好ましくは６〜５０、より好ましくは７〜１５の数である。〕。
【００４２】
本発明ではこれらの中でも特に一般式（５−１）及び（５−２）から選ばれる非イオン界面活性剤が好ましい。
【００４３】
本発明では特に（ｆ２）成分である両性界面活性剤、及び（ｆ４）成分である非イオン界面活性剤を併用することが漂白洗浄効果を高める目的から好ましい。また、これら界面活性剤を併用する場合には漂白洗浄効果を向上させる目的から、（ｃ）成分／（ｆ２）成分の質量比は、好ましくは１／３０〜３０／１、より好ましくは１／１０〜１０／１、特に好ましくは１／５〜５／１であり、（ｃ）成分／（ｆ４）成分の質量比は、好ましくは１／１００〜２０／１、より好ましくは１／１００〜１０／１、特に好ましくは１／５０〜５／１である。さらに、本発明の組成物は、（ｆ）成分を合計で好ましくは０〜２５質量％、より好ましくは０．５〜２０質量％、より好ましくは２〜１５質量％含有する。
【００４４】
さらに本発明の組成物は金属イオン封鎖剤〔以下、（ｇ）という〕を含有することが好ましい。本発明に用いられる（ｇ）成分としては、（１）フィチン酸等のリン酸系化合物又はこれらのアルカリ金属塩もしくはアルカノールアミン塩、（２）エタン−１，１−ジホスホン酸、エタン−１，１，２−トリホスホン酸、エタン−１−ヒドロキシ−１，１−ジホスホン酸およびその誘導体、エタンヒドロキシ−１，１，２−トリホスホン酸、エタン−１，２−ジカルボキシ−１，２−ジホスホン酸、メタンヒドロキシホスホン酸等のホスホン酸又はこれらのアルカリ金属塩もしくはアルカノールアミン塩、（３）２−ホスホノブタン−１，２−ジカルボン酸、１−ホスホノブタン−２，３，４−トリカルボン酸、α−メチルホスホノコハク酸等のホスホノカルボン酸又はこれらのアルカリ金属塩もしくはアルカノールアミン塩、（４）アスパラギン酸、グルタミン酸、グリシン等のアミノ酸又はこれらのアルカリ金属塩もしくはアルカノールアミン塩、（５）ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラミン六酢酸、ジエンコル酸等のアミノポリ酢酸又はこれらのアルカリ金属塩もしくはアルカノールアミン塩、（６）ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸などの有機酸又はこれらのアルカリ金属塩もしくはアルカノールアミン塩、（７）ゼオライトＡに代表されるアルミノケイ酸のアルカリ金属塩又はアルカノールアミン塩、（８）アミノポリ（メチレンホスホン酸）もしくはそのアルカリ金属塩もしくはアルカノールアミン塩、又はポリエチレンポリアミンポリ（メチレンホスホン酸）もしくはそのアルカリ金属塩もしくはアルカノールアミン塩を挙げることができる。
【００４５】
これらの中で上記（２）、（５）、（６）および（７）からなる群より選ばれる少なくとも１種が好ましく、上記（２）からなる群より選ばれる少なくとも１種がさらに好ましい。
【００４６】
本発明の組成物中の（ｇ）成分の含有量は、好ましくは０．００５〜５質量％、さらに好ましくは０．０１〜１質量％である。
【００４７】
本発明の組成物は、上記成分を水に溶解させた水溶液（分散状態も含む）の形態であり、用いる水は微量に存在する金属を取り除いたイオン交換水又は蒸留水を用いることが好ましい。また、組成物の２０℃におけるｐＨは好ましくは９〜１３、より好ましくは９．５〜１２である。
【００４８】
本発明の組成物は、使用する直前に調製して漂白することが高い漂白効果を得る上で好適である。調整する方法としては（ａ）成分、（ｂ）成分、（ｃ）成分、及び所望によりその他成分の所定量をそれぞれ個別に水に溶解する方法を用いることができるが、簡便性の点から（ａ）成分及び（ｃ）成分を含有するＡ剤と、（ｂ）成分を含有するＢ剤とを別々に用意し、両者を使用直前に混合し漂白操作に供することが好ましい。
【００４９】
すなわち、本発明は、（ａ）過酸化水素、（ｃ）一般式（１）で表される化合物及び水を含有する組成物からなるＡ剤と、（ｂ）アルカリ剤及び水を含有する組成物からなるＢ剤とを、Ａ剤とＢ剤とを分離して保持する容器に充填してなる２剤型漂白剤も提供する。
【００５０】
Ａ剤の好ましい組成としては（ａ）成分を０．６〜１０質量％、更に１．５〜６質量％、（ｃ）成分を０．６〜１５質量％、更に０．６〜１０質量％含有することであり、特に一般式（ｃ−１）の化合物及び／又は一般式（ｃ−２）の化合物が好適である。また、（ｄ）成分を０．０２〜１０質量％、更に０．０２〜５質量％、特に０．０２〜３質量％、（ｆ）成分を０．０２〜２０質量％、更に０．０５〜１５質量％含有することが好適である。
【００５１】
Ｂ剤の好ましい組成としては（ｂ）成分を１〜２５質量％、更に１〜２０質量％、より更に２〜１５質量％、特に３〜１０質量％含有することであり、また、（ｅ）成分を０．１〜２０質量％、更に０．１〜１４質量％、特に０．１〜８質量％、（ｄ）成分を０．０２〜１０質量％、更に０．０２〜５質量％、特に０．０２〜３質量％、（ｆ）成分を０．０２〜２０質量％、更に０．０５〜１５質量％含有することが好適である。また、（ｇ）成分を本発明の効果に影響ない程度にＢ剤が含有することも可能であり、特にＢ剤中に（ｇ）成分を０．００５〜１質量％、更に０．０５〜０．５質量％含有することができる。
【００５２】
本発明のＡ剤、Ｂ剤の２０℃における粘度は、いずれも３〜３００ｍＰａ・ｓ、更に４〜２００ｍＰａ・ｓであることが、使い勝手の点から好適である。このような粘度に調整するために、Ａ剤及び／又はＢ剤には粘度調整剤を配合することができる。粘度調整剤としては炭素数１〜３のアルキル基もしくはヒドロキシ基が１〜３個置換していてもよいベンゼンスルホン酸、重量平均分子量３，０００〜１００，０００のポリエチレングリコール又はポリプロピレングリコールを用いることができる。このような粘度調整剤は、Ａ剤及び／又はＢ剤に０〜１０質量％、更に０．０１〜５質量％含有されることが好適である。
【００５３】
本発明ではＡ剤及びＢ剤を質量比でＡ剤／Ｂ剤＝１／５〜５／１、好ましくは１／３〜３／１の比率で混合することが使い勝手、及び漂白効果の点から好ましい。
【００５４】
本発明ではこのような混合比率を容易に達成する目的でＡ剤及びＢ剤が同時に吐出可能な吐出部を具備した容器を使用することが好ましく、且つ保存安定性を考慮すれば、Ａ剤とＢ剤をそれぞれ異なる格納部に収納可能な一体型容器、もしくはＡ剤を収納可能な容器とＢ剤を収納可能な容器をこれらを接合しうる部材により接合した連結型容器にＡ剤及びＢ剤を収納した物品が好ましい。また、該容器はＡ剤とＢ剤の吐出量の比が質量比でＡ剤／Ｂ剤＝１／５〜５／１、好ましくは１／３〜３／１になるように各吐出部の形状を調整することが好適である。吐出量の調整は、Ａ剤とＢ剤の粘度及び吐出部の開口面積や形状を調整することにより公知の方法で達成することができる。
【００５５】
具体的な容器の例を図１、２に示す。図１中（１１）はＡ剤の収容部、（１２）はＢ剤の収容部であり、各収容部は隔壁（１３）により隔離されている。（１４）はＡ剤及びＢ剤が同時に吐出することができる吐出部である。（１５）はキャップである。図２中（２１）はＡ剤の収容部であり、（２２）はＢ剤の収容部であり、これらは（２３）の接合部で接合されている。（２４）はＡ剤及びＢ剤が同時に吐出することができる吐出部である。（２５）はキャップである。
【００５６】
【実施例】
表１に示すＡ剤、Ｂ剤を、図１又は図２の容器に充填した２剤型液体漂白剤を作製した。これらを用いて下記に示す漂白効果を検討した。結果を表１に示す。Ａ剤、Ｂ剤のｐＨは、１０％硫酸水溶液又は３０％ＮａＯＨ水溶液を用いて調整した。
【００５７】
＜漂白効果＞
下記の通り調製したミートソース汚染布（親油性汚れ）に、容器から吐出させた漂白剤を１ｍＬ／枚の割合で塗布し、３０分放置した。その後、このような処理をした汚染布４枚を、０．０６６７質量％市販洗剤溶液を使ってターゴトメーターにて普通洗浄した（８０ｒｐｍ×１０分）後、乾燥させて、次式により漂白率を算出した。漂白率は４枚の平均値とした。
【００５８】
【数１】
2004043551.tif 000009
【００５９】
反射率は日本電色工業（株）製ＮＤＲ−１０ＤＰで４６０ｎｍフィルターを使用して測定した。
【００６０】
（ミートソース汚染布の調製法）
カゴメ（株）製ミートソース（完熟トマトのミートソース／内容量２５９ｇの缶詰）の固形分をメッシュ（目開き；５００μｍ）で除去した後、得られた液を煮沸するまで加熱した。この液に木綿金布＃２００３を浸し、約１５分間煮沸した。そのまま火からおろし約２時間程度放置し室温まで冷却した後、布を取りだし、余分に付着している液をへらで除去し、自然乾燥させた。その後プレスし、１０ｃｍ×１０ｃｍの試験布として実験に供した。
【００６１】
【表１】
2004043551.tif 000010
【００６２】
表中の記号は以下の通りである。
ａ−１：過酸化水素
ｂ−１：炭酸カリウム
【００６３】
【化９】
2004043551.tif 000011
【００６４】
＊ｃ−１〜ｃ−３の製造法
２−エチルヘキサノール（ｃ−１）又は直鎖オクタノ−ル（ｃ−２）、さらにイソデシルアルコール（ｃ−３）に対して、エピクロルヒドリンを１．１モル当量、下記に示すアルミニウム触媒を０．０３モル当量用い、９０℃で４時間反応させた。ｃ−１及びｃ−２は水で開環させた後蒸留を行い、ｃ−３はグリセリンで開環させたものをそのまま使用した。
【００６５】
【化１０】
2004043551.tif 000012
【００６６】
ｄ−１：ラウロイルオキシベンゼンスルホン酸ナトリウム
ｄ−２：ノナノイルオキシベンゼンスルホン酸ナトリウム
ｅ−１：ポリアクリル酸ナトリウム（重量平均分子量１００００）
ｆ−１：ポリオキシエチレンラウリルエーテル硫酸エステルナトリウム（ＥＯ平均付加モル数２）
ｆ−２：Ｎ−ラウリル−Ｎ，Ｎ−ジメチル−Ｎ−（２−ヒドロキシ−１−スルホプロピル）アンモニウムスルホベタイン
ｆ−３：ポリオキシエチレンラウリルエーテル（ＥＯ平均付加モル数８）
ｆ−４：ポリオキシエチレンラウリルエーテル（ＥＯ平均付加モル数５）
ｇ−１：１−ヒドロキシエチリデン−１，１−ジホスホン酸
ｈ−１：Ｃ４Ｈ９−（ＯＣ２Ｈ４）３−ＯＨ
【図面の簡単な説明】
【図１】Ａ剤、Ｂ剤を収容する２剤型容器の一例を示す模式図
【図２】Ａ剤、Ｂ剤を収容する２剤型容器の他の例を示す模式図
【符号の説明】
（１１）、（２１）：Ａ剤の収容部
（１２）、（２２）：Ｂ剤の収容部
（１３）：隔壁
（１４）、（２４）：吐出部
（２３）：接合部
【図１】
2004043551.tif 000014
【図２】
2004043551.tif 000015